(57)【特許請求の範囲】
【請求項１】
拡張音声データ最適化（ＥＶＤＯ）セッションのためにデフォルトのアイドル状態プロトコルを使用することによって特徴づけられる、ワイヤレス通信の方法であって、
ネットワークにおいて動作中のチャネルのリストを特定するメッセージを受信することと、
前記チャネルのリストから少なくとも１つのサポートされていないチャネルを取り除くために前記ネットワークとネゴシエートすることなく前記チャネルのリストから前記少なくとも１つのサポートされていないチャネルを取り除くことでチャネルのサブセットリストを生成することと、
前記ネットワークとの通信を確立するために前記チャネルのサブセットリストからチャネルを識別することと
を備える、方法。
【請求項２】
アクセス端末が前記チャネルのリストにリストされている１つ以上のチャネルをサポートしないと決定することと、
前記アクセス端末がサポートしない前記１つ以上のチャネルを前記チャネルのリストから取り除くことと
をさらに備える、請求項１に記載の方法。
【請求項３】
前記アクセス端末のハードウェアが前記１つ以上のチャネルをサポートしないと決定することをさらに備える、請求項２に記載の方法。
【請求項４】
前記チャネルのリストからの前記少なくとも１つのサポートされていないチャネルの各々が前記ネットワークとの前記通信を確立することについての考慮から除外されるというインジケーションを記憶することをさらに備える、請求項１に記載の方法。
【請求項５】
前記チャネルのリストからの前記少なくとも１つのサポートされていないチャネルの除去の結果として、前記チャネルのサブセットリストにリストされているチャネルの量を計算することと、 
前記チャネルのサブセットリストを生成した後に、前記チャネルのサブセットリスト内にインデックスを生成するためにハッシュアルゴリズムを実行することとをさらに備え、
前記チャネルの量は、前記ハッシュアルゴリズムのための入力パラメータである、請求項１に記載の方法。
【請求項６】
前記ネットワークの基地局とのＥＶＤＯセッションネゴシエーションを行なうことをさらに備える、請求項１に記載の方法。
【請求項７】
前記ネットワークの前記基地局との前記ＥＶＤＯセッションネゴシエーションは、前記チャネルのリストからの前記少なくとも１つのサポートされていないチャネルの除去後に行なわれる、請求項６に記載の方法。
【請求項８】
拡張音声データ最適化（ＥＶＤＯ）セッションのためにデフォルトのアイドル状態プロトコルを使用することによって特徴づけられる、ワイヤレス通信のために構成された装置であって、
ネットワークにおいて動作中のチャネルのリストを特定するメッセージを受信するための手段と、
前記チャネルのリストから少なくとも１つのサポートされていないチャネルを取り除くために前記ネットワークとネゴシエートすることなく前記チャネルのリストから前記少なくとも１つのサポートされていないチャネルを取り除くことでチャネルのサブセットリストを生成するための手段と、
前記ネットワークとの通信を確立するために前記チャネルのサブセットリストからチャネルを識別するための手段と
を備える、装置。
【請求項９】
前記装置が前記チャネルのリストにリストされている１つ以上のチャネルをサポートしないと決定するための手段をさらに備え、
前記生成するための手段は、前記装置がサポートしない前記１つ以上のチャネルを前記チャネルのリストから取り除くように構成される、請求項８に記載の装置。
【請求項１０】
前記生成するための手段は、前記装置のハードウェアが前記１つ以上のチャネルをサポートしないと決定するように構成される、請求項９に記載の装置。
【請求項１１】
前記チャネルのリストからの前記少なくとも１つのサポートされていないチャネルの各々が前記ネットワークとの前記通信を確立することについての考慮から除外されるというインジケーションを記憶するための手段をさらに備える、請求項８に記載の装置。
【請求項１２】
前記チャネルのリストからの前記少なくとも１つのサポートされていないチャネルの除去の結果として、前記チャネルのサブセットリストにリストされているチャネルの量を計算するための手段をさらに備え、
前記チャネルを識別するための前記手段は、前記チャネルのサブセットリストを前記生成した後に、前記チャネルのサブセットリスト内にインデックスを生成するためにハッシュアルゴリズムを実行するように構成され、
前記チャネルの量は、前記ハッシュアルゴリズムのための入力パラメータである、請求項８に記載の装置。
【請求項１３】
前記ネットワークの基地局とのＥＶＤＯセッションネゴシエーションを行なうための手段をさらに備える、請求項８に記載の装置。
【請求項１４】
前記ネットワークの前記基地局との前記ＥＶＤＯセッションネゴシエーションは、前記チャネルのリストからの前記少なくとも１つのサポートされていないチャネルの除去後に行なわれる、請求項１３に記載の装置。
【請求項１５】
命令を備えるコンピュータ読み取り可能記憶デバイスであって、
命令がプロセッサによって実行されるときに、請求項１ないし７のうちのいずれかにしたがう方法を前記プロセッサに実行させる、コンピュータ読み取り可能記憶デバイス。
【発明の詳細な説明】
【関連出願の相互参照】
【０００１】
[0001]  本願は、２０１３年８月２３日付けに米国特許商標庁に出願された仮特許出願番号第６１／８６９，５３４、および、２０１４年２月２１日付けに米国特許商標庁に出願された非仮特許出願番号第１４／１８６，７３４の優先権および利益を主張し、その全体が参照により本明細書に組み込まれている。
【技術分野】
【０００２】
[0002]  以下に説明される技術は、一般的には、ワイヤレス通信に関し、より具体的には、ワイヤレス通信ネットワークにおいてチャネルを識別することに関するが、これに限定されるものではない。技術の実現は、信頼できるユーザ経験および電力リソースの効率的使用のために（例えば、ローミングシナリオ中の）効率的なチャネル獲得を提供することができる。
【背景技術】
【０００３】
[0003]  ワイヤレス通信システムは、音声、映像、パケットデータ、メッセージング、ブロードキャスト、等のような様々なタイプの通信コンテンツを提供するために広く展開されている。これらのシステムは、ワイヤレス通信を容易にするように適応された様々なタイプのアクセス端末（例えば、モバイルデバイス）によってアクセスされ得、ここで、複数のアクセス端末は、利用可能なシステムリソース（例えば、時間、周波数、および電力）を共有する。
【０００４】
[0004]  システムまたはチャネル獲得は、モバイルデバイスがワイヤレスネットワークとの通信リンクまたはチャネルを確立するために使用し得るプロセスである。チャネル獲得を行なうには、モバイルデバイスは、それが使用することができる利用可能なチャネルを最初に見つける必要がある。これは、利用可能なチャネルのリストを含むオーバーヘッドメッセージを受信し、利用可能なチャネルを選択することによって達成されることができる。
【０００５】
[0005]  モバイルブロードバンドアクセスの需要が増加し続けるにつれて、モバイルブロードバンドアクセスの高まる需要を満たすためだけではなく、モバイル通信のユーザ経験を促進および向上させるために、研究開発は技術を促進し続けている。
【発明の概要】
【０００６】
[0006]  以下は、そのような態様の基本的な理解を提供するために、本開示の１つ以上の態様の簡略化された概要を提示する。この概要は、本開示の企図されるすべての特徴の広範な概観ではなく、本開示のすべての態様のキーまたは重要なエレメントを特定するようにも、本開示の任意またはすべての態様の範囲を叙述するようにも意図されない。その唯一の目的は、後に提示されるより詳細な説明への前置きとして、簡略化された形式で本開示の１つ以上の態様のいくつかの概念を提示することである。
【０００７】
[0007]  本開示の様々な態様は、ネットワークにおいて動作中のチャネルのリストに基づいて、ネットワークとの通信のためのチャネルを識別することを提供する。リストを受信するアクセス端末のような装置は、装置によってサポートされていないリスト内のチャネルを自律的（autonomously）に取り除く。例えば、低コストの装置は、単に、ネットワークにおいて動作中のチャネルのいくつかをサポートする制限されたハードウェア構成を有し得る。装置は、取り除かれたチャネルを除いて、チャネルのリストからネットワークとの通信のためのチャネルを識別する。このような方法で、たとえネットワークが装置によってサポートされていない１つ以上のチャネルを利用することができても、装置は、それがネットワークを獲得するであろう尤度（likelihood）を増やすことができる。
【０００８】
[0008]  例えば、一態様において、本開示は、アクセス端末において動作可能なワイヤレス通信の方法を提供する。方法は、ネットワークにおいて動作中のチャネルのリストを特定するメッセージを受信することと、チャネルのリストから少なくとも１つのチャネルを取り除くためにネットワークとネゴシエートすることなくチャネルのリストから少なくとも１つのチャネルを取り除くことでチャネルのサブセットリストを生成することと、ネットワークとの通信を確立するためにチャネルのサブセットリストからチャネルを識別することとを含む。
【０００９】
[0009]  本開示の別の態様は、少なくとも１つの処理回路と、少なくとも１つの処理回路に結合されたメモリと、少なくとも１つの処理回路に結合された通信インターフェースとを含む、ワイヤレス通信のために構成された装置を提供する。少なくとも１つの処理回路は、ネットワークにおいて動作中のチャネルのリストを特定するメッセージを受信することと、チャネルのリストから少なくとも１つのチャネルを取り除くためにネットワークとネゴシエートすることなくチャネルのリストから少なくとも１つのチャネルを取り除くことでチャネルのサブセットリストを生成することと、ネットワークとの通信を確立するためにチャネルのサブセットリストからチャネルを識別することとを行なうように構成される。
【００１０】
[0010]  本開示の別の態様は、ワイヤレス通信のために構成された装置を提供する。装置は、ネットワークにおいて動作中のチャネルのリストを特定するメッセージを受信するための手段と、チャネルのリストから少なくとも１つのチャネルを取り除くためにネットワークとネゴシエートすることなくチャネルのリストから少なくとも１つのチャネルを取り除くことでチャネルのサブセットリストを生成するための手段と、ネットワークとの通信を確立するためにチャネルのサブセットリストからチャネルを識別するための手段とを含む。
【００１１】
[0011]  本開示の別の態様は、通信デバイスに、ネットワークにおいて動作中のチャネルのリストを特定するメッセージを受信することと、チャネルのリストから少なくとも１つのチャネルを取り除くためにネットワークとネゴシエートすることなくチャネルのリストから少なくとも１つのチャネルを取り除くことでチャネルのサブセットリストを生成することと、ネットワークとの通信を確立するためにチャネルのサブセットリストからチャネルを識別することとを行なわせるためのコードを備えるコンピュータ可読記憶媒体を備える製品を提供する。
【００１２】
[0012]  本開示のこれらの態様および他の態様は、以下に続く詳細な説明を検討することにより、完全に理解されることになる。本開示の他の態様、特徴、および実施形態は、添付図面とともに、本開示の具体的な、例示的な実施形態の以下の説明を検討すれば、当業者には明らかになるであろう。本発明の特徴は、以下のある特定の実施形態および図面に関連して説明され得るが、本開示のすべての実施形態は、本明細書において説明される有利な特徴の１つ以上を含むことができる。言い換えれば、１つ以上の実施形態は、ある特定の有利な特徴を有するものとして説明され得るが、そのような特徴の１つ以上もまた、本明細書において説明される開示の様々な実施形態に従って使用され得る。同様の方法で、例示的な実施形態は、デバイス、システム、または方法の実施形態として以下に説明され得るが、そのような実例的な実施形態が、様々なデバイス、システム、および方法で実現されることができることが理解されるべきである。
【図面の簡単な説明】
【００１３】
【図１】[0013]  図１は、本開示の１つ以上の態様がアプリケーションを見つけ得るネットワーク環境の例を示すブロック図である。
【図２】[0014]  図２は、アクセス端末によって実現され得るプロトコルスタックアーキテクチャの例を示すブロック図である。
【図３】[0015]  図３は、アクセス端末がアクセスネットワークと通信するためのチャネルを識別するように構成されるネットワーク環境の例を示すブロック図である。
【図４】[0016]  図４は、本開示のいくつかの態様に従ってアクセス端末とネットワークとの間のワイヤレス通信の方法を示すフローチャートである。
【図５】[0017]  図５は、少なくとも１つの例に従ってアクセス端末の選択コンポーネントを示すブロック図である。
【図６】[0018]  図６は、本開示のいくつかの態様に従ってネットワークとの通信のためのチャネルを識別する方法を示すフローチャートである。
【図７】[0019]  図７は、本開示のいくつかの態様に従ってネットワークとの通信のためのチャネルを識別する方法の更なる態様を示すフローチャートである。
【図８】[0020]  図８は、本開示のいくつかの態様に従ってネットワークとの通信のためのチャネルを識別する方法の更なる態様を示すフローチャートである。
【図９】[0021]  図９は、本開示のいくつかの態様に従ってアクセス端末とネットワークとの間のワイヤレス通信の方法を示すフローチャートである。
【図１０】[0022]  図１０は、通信ネットワークにおいてアクセス端末と通信する基地局の例を示すブロック図である。
【詳細な説明】
【００１４】
[0023]  添付図面に関連して以下に述べられる説明は、様々な構成の説明として意図されたものであり、本明細書において説明される概念および特徴が実施され得る唯一の構成を表すように意図したものではない。以下の説明は、様々な概念の十分な理解を提供するために、具体的な詳細を含む。しかしながら、これらの概念がこれらの具体的な詳細なしに実施され得ることは、当業者には明らかであろう。いくつかの例では、周知の回路、構造、技法およびコンポーネントが、説明される概念および特徴を曖昧にすることを避けるために、ブロック図形式で示される。
【００１５】
[0024]  本開示全体を通して提示される様々な概念は、幅広く様々なワイヤレス通信システム、ネットワークアーキテクチャ、および通信規格にわたって実現され得る。議論のある特定の態様は、符号分割多元接続（ＣＤＭＡ）および第３世代パートナーシッププロジェクト２（３ＧＰＰ２（登録商標））１ｘプロトコルおよびシステムについて以下に説明され、関連用語が以下の説明の大部分で見つけられ得る。しかしながら、当業者は、本開示の１つ以上の態様が１つ以上の他のワイヤレス通信プロトコルおよびシステムで用いられ、それらに含まれ得ることを認識するであろう。
【００１６】
[0025]  図１は、本開示の１つ以上の態様がアプリケーションを見つけ得るネットワーク環境の例を示すブロック図である。ワイヤレス通信システム１００は、概して、（例えば、モバイル交換局／ビジタロケーションレジスタ（ＭＳＣ／ＶＬＲ）を介して）公衆交換電話網（ＰＳＴＮ）への、および／または（例えば、パケットデータ交換ノード（ＰＤＳＮ）を介して）インターネットプロトコル（ＩＰ）ネットワークへの、アクセスを提供する、コアネットワーク１０８、１つ以上の基地局コントローラ（ＢＳＣ）１０６、１つ以上のアクセス端末（ＡＴ）１０４、および１つ以上の基地局１０２を含む。システム１００は、複数のキャリア（異なる周波数の波形信号）上の動作をサポートし得る。マルチキャリア送信機は、複数のキャリア上で同時に変調された信号を送信することができる。各変調された信号は、ＣＤＭＡ信号、時分割多元接続（ＴＤＭＡ）信号、直交周波数分割多元接続（ＯＦＤＭＡ）信号、単一搬送波周波数分割多元接続（ＳＣ−ＦＤＭＡ）信号、等であり得る。各変調された信号は、異なるキャリア上で送られ得、制御情報（例えば、パイロット信号）、オーバヘッド情報、データ、等を搬送し得る。
【００１７】
[0026]  基地局１０２は、基地局アンテナ介してアクセス端末１０４とワイヤレスで通信することができる。基地局１０２は、それぞれ、概して、無線通信システム１００への（１つ以上のアクセス端末の）ワイヤレス接続性を容易にするように適応される装置として実現され得る。基地局１０２は、当業者によって、アクセスポイント、基地トランシーバ局（ＢＴＳ）、無線基地局、無線トランシーバ、トランシーバ機能、ベーシックサービスセット（ＢＳＳ）、拡張サービスセット（ＥＳＳ）、ノードＢ、フェムトセル、ピコセル、および／または何らかの他の適切な用語でも称され得る。
【００１８】
[0027]  基地局１０２は、複数のキャリアを介して基地局コントローラ１０６の制御の下でアクセス端末１０４と通信するように構成される。基地局１０２の各々は、それぞれの地理的エリアのための通信カバレッジを提供することができる。ここでの各基地局１０２のためのカバレッジエリア１１０は、セル１１０−ａ、１１０−ｂ、または１１０−ｃと特定される。基地局１０２のためのカバレッジエリア１１０は、（図示されていないが、カバレッジエリアの一部のみを構成する）セクタに分けられ得る。セクタに分けられたカバレッジエリア１１０において、カバレッジエリア１１０内の複数のセクタは、セルの一部で１つ以上のアクセス端末１０４との通信に関与する各アンテナを有するアンテナのグループによって形成されることができる。
【００１９】
[0028]  １つ以上のアクセス端末１０４は、カバレッジエリア１１０の全体にわたって散在し得、それぞれの基地局１０２に関連付けられた１つ以上のセクタとワイヤレスで通信し得る。アクセス端末１０４は、概して、ワイヤレス信号を通じて１つ以上の他のデバイスと通信する１つ以上のデバイスを含み得る。そのようなアクセス端末１０４は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の適切な用語でも称され得る。アクセス端末１０４は、モバイル端末および／または少なくとも実質上固定端末を含み得る。アクセス端末１０４の例は、モバイルフォン、ページャ、ワイヤレスモデム、パーソナルデジタルアシスタント、パーソナルインフォメーションマネジャ（ＰＩＭｓ）、パーソナルメディアプレイヤ、パームトップコンピュータ、ラップトップコンピュータ、タブレットコンピュータ、テレビ、電化製品（appliance）、電子ブックリーダ（e-reader）、デジタルビデオレコーダ（ＤＶＲｓ）、マシンツーマシン（machine-to-machine：Ｍ２Ｍ）デバイス、エンターテイメントデバイス、センサ、ワイヤレス電化製品、および／または、少なくとも部分的に、ワイヤレスまたはセルラネットワークを通じて通信する他の通信／コンピューティングデバイスを含む。
【００２０】
[0029]  アクセス端末１０４は、ワイヤレス通信システム１００（例えば、基地局１０２）の１つ以上のネットワークノードとアクセス端末１０４との間でデータを通信するためのプロトコルスタックアーキテクチャを用いるように適応され得る。プロトコルスタックは、概して、レイヤがそれらの数字表示（numeric designation）順に表されている通信プロトコルのためのレイヤードアーキテクチャ（layered architecture）の概念モデルを含み、ここで、転送されたデータは、それらの表示順に、各レイヤによって実質的に処理される。図により、「スタック（stack）」は典型的に、基地において最も低い数字表示を有するレイヤによって、垂直に示される。図２は、アクセス端末１０４によって実現され得るプロトコルスタックアーキテクチャの例を示すブロック図である。図１および図２を参照すると、アクセス端末１０４のためのプロトコルスタックアーキテクチャが、一般に３つのレイヤ、すなわち、レイヤ１（Ｌ１）、レイヤ２（Ｌ２）、およびレイヤ３（Ｌ３）を含むことが示されている。
【００２１】
[0030]  レイヤ１ ２０２は、最下位のレイヤであり、様々な物理レイヤ信号処理機能を実現する。レイヤ１ ２０２は、本明細書では物理レイヤ２０２とも称される。この物理レイヤ２０２は、アクセス端末１０４と基地局１０２との間の無線信号の送信と受信を提供する。
【００２２】
[0031]  レイヤ２（または「Ｌ２レイヤ」）２０４と呼ばれるデータリンクレイヤは、物理レイヤ２０２の上に位置し、レイヤ３によって生成されたシグナリングメッセージの配信に関与している。Ｌ２レイヤ２０４は、物理レイヤ２０２によって提供されたサービスを使用する。Ｌ２レイヤ２０４は、媒体アクセス制御（ＭＡＣ）サブレイヤ２０６、およびリンクアクセス制御（ＬＡＣ）サブレイヤ２０８の２つのサブレイヤを含み得る。 
[0032]  ＭＡＣサブレイヤ２０６は、Ｌ２レイヤ２０４の下位サブレイヤである。ＭＡＣサブレイヤ２０６は、媒体アクセスプロトコルを実現し、物理レイヤ２０２によって提供されたサービスを使用することで上位レイヤに関連付けられたプロトコルデータユニットのトランスポートに関与している。ＭＡＣサブレイヤ２０６は、上位レイヤから共有エアインターフェースへのデータのアクセスを管理し得る。ＭＡＣサブレイヤ２０６はまた、無線リンクプロトコル（ＲＬＰ）機能、多重化機能、およびＱｏＳ機能を含み得る、またはそれらとインターフェースをとり得る。
【００２３】
[0033]  ＬＡＣサブレイヤ２０８は、Ｌ２レイヤ２０４の上位サブレイヤである。ＬＡＣサブレイヤ２０８は、レイヤ３において生成されたシグナリングメッセージの配信および正確なトランスポートを提供するデータリンクプロトコルを実現する。ＬＡＣサブレイヤ２０８は、下位レイヤ（例えば、レイヤ１およびＭＡＣサブレイヤ）によって提供されたサービスを使用する。
【００２４】
[0034]  上位レイヤまたはＬ３レイヤとも称され得る、レイヤ３ ２１０は、基地局１０２とアクセス端末１０４との間の通信プロトコルのタイミングおよびセマンティクス（semantics）に従って、シグナリングメッセージを生じさせる、および終了させる。Ｌ３レイヤ２１０は、Ｌ２レイヤによって提供されたサービスを使用する。情報（例えば、音声サービス、データサービス、およびシグナリング）メッセージはまた、Ｌ３レイヤ２１０に通される。
システム／チャネル獲得
[0035]  システムまたはチャネル獲得は、アクセス端末がアクセスネットワークとの通信チャネルを確立するために利用し得る標準プロセスである。チャネル獲得を行なうには、アクセス端末は、アクセス端末がアクセスネットワークと通信するために使用することができる利用可能なチャネルを最初に見つける必要がある。
【００２５】
[0036]  参照により本明細書に組み込まれている、３ＧＰＰ２ Ｃ．Ｓ００２４−Ｂ ｖ３．０（２００９年９月）は、ｃｄｍａ２０００高レートパケットデータエアインターフェースの仕様書であり、拡張音声データ最適化（ＥＶＤＯ：Evolved Voice-Data Optimized）エアインターフェースのある特定の態様を定義する。この仕様書によると、アクセスネットワークから送信されるある特定のオーバーヘッドメッセージ（すなわち、セクタパラメータ（ＳＰ）メッセージ）は、アクセスネットワーク上で動作中のＣＤＭＡチャネルのリストを通知する。アクセス端末がアクセスネットワークからＳＰメッセージを受信した場合、アクセス端末は、概して、ＳＰメッセージ上で提供されたチャネルのリストからＣＤＭＡチャネルを選択し、それに応じて選択されたＣＤＭＡチャネルに同調する（tunes to）。ＳＰメッセージに示されているように２つ以上のチャネルが利用可能な場合、アクセス端末は、ＳＰメッセージに提供されたチャネルリストに対するインデックスを計算するためにＣＤＭＡチャネル選択アルゴリズム（例えば、ハッシュ関数）を利用する。基本的には、このハッシュ関数を利用することで、アクセスネットワークは、異なるチャネルに様々なアクセス端末を分配することができ、それにより、すべてのアクセス端末が同じチャネルになることはない。
【００２６】
[0037]  従来のシステムでは、アクセス端末およびアクセスネットワークは、同じハッシュアルゴリズムを独立して実行し、それにより、それらは同じチャネルを選択する。３ＧＰＰ２規格によると、異なるハッシュアルゴリズムは、アクセス端末およびアクセスネットワークによって使用されるアイドル状態プロトコルのサブタイプ（Idle State Protocol subtype）に依存するアクセス端末およびアクセスネットワークによって実行されることができる。アクセス端末およびアクセスネットワークがデフォルトのアイドル状態プロトコル以外のサブタイプとネゴシエートする場合、アクセス端末およびアクセスネットワークは、ハッシングする前にＳＰメッセージにリストされているサポートされていないチャネルを取り除くであろう。しかしながら、アクセス端末およびアクセスネットワークがデフォルトのアイドル状態プロトコルを使用する場合、アクセス端末およびアクセスネットワークの両方が、ＳＰメッセージにリストされているすべてのチャネル上でハッシュ関数を実行する。
【００２７】
[0038]  アクセス端末のいくつかのハードウェア実現は、限られた数のチャネルまたは帯域クラス（ＥＶＤＯにおいて、なお、帯域クラスは、チャネルのグループである）をサポートするように構成される。例えば、低コストのアクセス端末は、単に、１つ特定の帯域クラスをサポートするように構成され得る。しかしながら、アクセスネットワークは、ＳＰメッセージにおけるいくつかの帯域からチャネルをリストし得る。例えば、３ＧＰＰ２は、２０以上の帯域クラスを定義する。
【００２８】
[0039]  さらに、アクセスネットワークとＥＶＤＯセッションを確立していないアクセス端末は、デフォルト設定によりデフォルトのアイドル状態プロトコルを使用する。そのため、いくつかのシナリオでは、アクセス端末は、それがサポートしないチャネルを選択する可能性がある（すなわち、ハッシュアルゴリズムは、サポートされていないチャネルに対してハッシュする可能性がある）。こういう場合、アクセス端末は、たとえサポートされたチャネルがそのエリアで利用可能であったとしても、ＥＶＤＯサービスを受信することができない可能性がある。
【００２９】
[0040]  一例として、アクセス端末がＢａｎｄＣｌａｓｓ（ＢＣ）０のみをサポートすると仮定する。このアクセス端末がＳｅｃｔｏｒＰａｒａｍｅｔｅｒｓ（ＳＰ）メッセージにリストされているＢＣ０とＢＣ１チャネルの両方を持ってセクタに入る場合、アクセス端末は、ＢＣ１チャネルに対してハッシュし得、それに応じて、アクセス端末はＢＣ１チャネルをサポートするハードウェアを欠いているため、アクセス端末はネットワークを獲得するのに失敗するであろう。アクセス端末がＢＣ１チャネルに同調するのに失敗した後、アクセス端末が再獲得することができるＢＣ０チャネルが他にない場合、上記の手順を繰り返し、アクセス端末はサービスを獲得するのに繰り返し失敗する可能性がある。
【００３０】
[0041]  本開示の態様によると、チャネル選択を行なう（例えば、ハッシュアルゴリズムを実行する）前に、アクセス端末は、（例えば、ＳＰメッセージで特定された）受信されたチャネルリストから１つ以上のサポートされていないチャネルを自律的に取り除くことができる。例えば、アクセス端末がまだネットワークとＥＶＤＯセッションをネゴシエートしていなかった場合、アクセス端末は、サポートされていないチャネル（単数または複数）を自律的に取り除くことができる。このような方法で、チャネル選択は、サポートされたチャネルをアクセス端末が選択する結果になり、それにより、ネットワークとの通信を可能にする。
【００３１】
[0042]  図３は、本開示の態様に従ってアクセス端末３０４およびアクセスネットワーク３０２（例えば、基地局）のための機能およびシグナリングのハイレベルな例を示す。アクセスネットワーク３０２は、アクセスネットワーク３０２において現在動作中の各チャネルをリストするチャネルリスト３０６を維持する。アクセスネットワーク３０２はまた、チャネルリストを含むメッセージ３０８をブロードキャストする。
【００３２】
[0043]  アクセス端末３０４は、受信されたチャネルリストからサポートされていないチャネルを取り除き、アクセス端末３０４によってサポートされているチャネルをリストする、サポートされたチャネルリスト３１２（例えば、チャネルリスト３０６のサブセット）を記憶するチャネル除去機能３１０を含む。アクセス端末はまた、アクセスネットワーク３０２との通信３２２を開始するために、サポートされたチャネルリスト３１２から、アクセス端末３０４によって使用されるであろうチャネル３１６を選択するチャネル選択機能３１４（例えば、ハッシュアルゴリズムの実行）を含む。
【００３３】
[0044]  例えば、受信されたＳＰメッセージで特定されたチャネルのリストからサポートされていないチャネルを取り除いた後にハッシュアルゴリズムを実行することによって、アクセス端末３０４は、チャネルのリストからサポートされたチャネルを選択することができる。アクセス端末は、その後、この選択されたチャネルを利用して、アクセスネットワーク３０２とＥＶＤＯセッションをネゴシエートし得る。
【００３４】
[0045]  同様に、アクセスネットワーク３０２は、アクセスネットワーク３０２との通信３２２を開始するために、チャネルリスト３０６から、アクセス端末３０４によって使用されると予測されるチャネル３２０を選択するチャネル選択機能３１８（例えば、ハッシュアルゴリズムの実行）を含む。前述の通り、アクセス端末３０４およびアクセスネットワーク３０２は、それぞれ、同じ結果に到達させようとして同じハッシュアルゴリズムを独立して実行する。よって、アクセス端末３０４によって１つ以上のサポートされていないチャネルの自律的除去の副作用として、ハッシュ結果は、セッションネゴシエーションの前にアクセス端末３０４とアクセスネットワーク３０２との間で異なり得る。しかしながら、アクセスネットワーク３０２は、概して、ＥＶＤＯセッションネゴシエーションの前にアクセス端末３０４をページしようとしない。よって、上記のように、サポートされたチャネルを選択した後、アクセス端末３０４は、選択されたチャネルを利用してアクセスネットワーク３０２と通信し、ＥＶＤＯセッションをネゴシエートし得る。
【００３５】
[0046]  非デフォルトのアイドル状態プロトコルのサブタイプ（例えば、拡張アイドル状態プロトコル）がＥＶＤＯセッションのためにネゴシエートされた場合、アクセス端末３０４およびアクセスネットワーク３０４は、両方ともサポートされていないチャネルを取り除き、最終的に同じハッシュされたチャネルを選択し得る。デフォルトのアイドル状態プロトコルがセッションネゴシエーション中にネゴシエートされ、サポートされていないチャネルがハッシュアルゴリズムにより選択された場合、アクセス端末は、セッションネゴシエーションの後にシステムを依然として失う（lose）可能性がある。しかしながら、この結果は、３ＧＰＰ２規格に準拠している。
【００３６】
[0047]  有利なことに、本明細書において教示されるように受信されたチャネルのリストからサポートされていないチャネルを取り除くことによって、アクセス端末は、特定のアクセスネットワークからサービスを取得する可能性が高くなるであろう。そのようなスキームは、特にローミングシナリオでは、アクセス端末がサポートされたチャネルに対してのみハッシュすることを可能にすることで大きな利点をもたらし、それにより、アクセスネットワークと拡張アイドル状態プロトコルをネゴシエートする機会を得ることができる。さらに、そのようなスキームは、アクセス端末の消費電力を削減することができる。概して、アクセス端末は、そうすることでそれが成功するまでネットワークを獲得することを断続的に試みるだろう。そのため、ネットワークを獲得していないアクセス端末は、ネットワークを獲得しようと繰り返し試みるため、比較的大量の電力を消費する可能性がある。本明細書において教示されるように受信されたチャネルのリストからサポートされていないチャネルを取り除くことによって、アクセス端末は、それのネットワークを獲得する機会を増加させる。そのため、アクセス端末は、ＩＤＬＥモードでより多くの時間を費やすことができ、それにより、それの消費電力を削減することができる。
【００３７】
[0048]  図４は、本開示の態様に従って例示的なプロセス４００を示すフローチャートである。いくつかの例において、プロセス４００は、アクセス端末１０４（例えば、アクセス端末３０４）によって実現され得る。別の例では、プロセス４００は、本明細書において説明される機能を行なうための任意の適切な装置または手段によって実現され得る。
【００３８】
[0049]  ブロック４０２において、アクセス端末は、１つ以上のオーバーヘッドメッセージを受信し得る。例えば、アクセス端末は、ネットワーク上で動作中のＣＤＭＡチャネルのリストを通知するセクタパラメータ（ＳＰ）メッセージを受信し得る。ここで、アクセス端末は、受信されたチャネルのリストをメモリに記憶し得る。
【００３９】
[0050]  ブロック４０４において、アクセス端末は、受信されたオーバーヘッドメッセージにリストされているチャネルのいずれかがサポートされていないかどうかを決定し得る。例えば、アクセス端末は、限られたセットのチャネルおよび／または帯域クラスのみをサポートするように構成され得、それに応じて、リストされたチャネルのうちのいずれか１つまたは複数がサポートされたチャネルのリスト内にないかどうかを決定するために、受信されたリスト内のチャネルのリストを、サポートされたチャネルのリストと比較し得る。
【００４０】
[0051]  受信されたリスト内の１つ以上のチャネルがサポートされていない場合、ブロック４０６において、アクセス端末は、チャネルのリストから１つ以上のサポートされていないチャネルを取り除き得る。例えば、受信されたチャネルのリストがメモリに記憶された場合、メモリ内のリストは、サポートされていないチャネルを含まないように更新され得る。別の例では、ＳＰメッセージにおいて受信されたチャネルのリストからのサポートされたチャネルのみを含む、第２のリストが生成され得る。よって、いくつかの態様において、ブロック４０６の動作は、アクセス端末によってサポートされていないチャネルを除外するチャネルのサブセットリストを生成することを伴う。
【００４１】
[0052]  ブロック４０８において、アクセス端末は、アクセス端末によってサポートされていないチャネルを除外するチャネルリストを利用して、チャネルを選択するためのハッシュアルゴリズムを実行し得る。ハッシュアルゴリズムを実行することの結果として、アクセス端末は、チャネルを選択し得、ブロック４１０において、アクセス端末は選択されたチャネルを利用してＥＶＤＯセッションをネゴシエートし得る。
【００４２】
[0053]  ブロック４１０におけるセッションネゴシエーション時に、アクセスネットワークは、アクセス端末によって現在使用されているアイドル状態プロトコルのサブタイプを知らされるようになり得る。よって、アクセス端末およびアクセスネットワークの両方が、同一のハッシュアルゴリズムを実行（run）（実行（execute)）し得、それにより、これらノード間の後続の通信に使用される共通のチャネルについて合意する（agree on）。
【００４３】
[0054]  図５は、本開示の１つ以上の態様に従って構成された例示的な装置５００（例えば、アクセス端末１０４）の図である。装置５００は、通信インターフェース（例えば、少なくとも１つのトランシーバ）５０２、記憶媒体５０４、ユーザインターフェース５０６、メモリ５０８、および処理回路５１０を含む。これらコンポーネントは、シグナリングバスまたは他の適切なコンポーネントを介して、互いに結合されることができる、および／または、互いに電気的通信状態に置かれることができる。具体的には、通信インターフェース５０２、記憶媒体５０４、ユーザインターフェース５０６、およびメモリ５０８の各々は、処理回路５１０に結合される、および／または、処理回路５１０と電気的通信状態に置かれる。
【００４４】
[0055]  通信インターフェース５０２は、装置５００のワイヤレス通信を容易にするように適応され得る。例えば、通信インターフェース５０２は、ネットワークにおける１つ以上の通信デバイスに関する情報の通信を双方向に容易にするように適応された回路および／またはプログラミングを含み得る。通信インターフェース５０２は、ワイヤレス通信システム内でワイヤレス通信のための１つ以上のアンテナ５１２に結合され得る。通信インターフェース５０２は、１つ以上の独立型受信機および／または送信機、並びに１つ以上のトランシーバで構成されることができる。示される例において、通信インターフェース５０２は、送信機５１４および受信機５１６を含む。
【００４５】
[0056]  メモリ５０８は、１つ以上のメモリデバイスを表し得る。示したように、メモリ５０８は、装置５００によって使用される他の情報と共にサポートされたチャネルリスト５１８を記憶し得る。いくつかの実現において、メモリ５０８および記憶媒体５０４は、共通のメモリコンポーネントとして実現される。メモリ５０８はまた、処理回路５１０または装置５００の何らかの他のコンポーネントによって操作されるデータを記憶するために使用され得る。
【００４６】
[0057]  記憶媒体５０４は、プロセッサ実行可能なコードまたは命令（例えば、ソフトウェア、ファームウェア）、電子データ、データベース、または他のデジタル情報のような、プログラミングを記憶するための１つ以上のコンピュータ可読、機械可読、および／またはプロセッサ可読装置を表し得る。記憶媒体５０４はまた、プログラミングを実行するときに、処理回路５１０によって操作されるデータを記憶するために使用され得る。記憶媒体５０４は、携帯または固定の記憶装置、光学記憶装置、およびプログラミングを記憶すること、含むこと、または搬送することが可能な様々な他の媒体を含む、汎用または専用プロセッサによってアクセスされることができる任意の利用可能なメディアであり得る。
【００４７】
[0058]  限定ではないが例として、記憶媒体５０４は、磁気記憶デバイス（例えば、ハードディスク、フロッピー（登録商標）ディスク、磁気ストリップ）、光学ディスク（例えば、コンパクトディスク（ＣＤ）、またはデジタル多用途ディスク（ＤＶＤ））、スマートカード、フラッシュメモリデバイス（例えば、カード、スティック、またはキードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスクを含む記憶デバイス、または、コンピュータあるいは通信デバイスによってアクセスおよび読み取られ得るソフトウェアおよび／または命令を記憶するための任意の他の適切な記憶デバイスを備え得る。記憶媒体５０４は、製品（例えば、コンピュータプログラム製品）に具現化され得る。例として、コンピュータプログラム製品は、パッケージング材料内のコンピュータ可読媒体を含み得る。よって、いくつかの実現において、記憶媒体は、非一時的な（例えば、有形の）記憶媒体であり得る。
【００４８】
[0059]  あるいは、いくつかの実現において、コンピュータ可読媒体は、例として、コンピュータによってアクセスおよび読み取られ得るソフトウェアおよび／または命令を送信するための、搬送波、伝送回線、および任意の他の適切な媒体を含み得る。
【００４９】
[0060]  記憶媒体５０４は、処理回路５１０が記憶媒体５０４から情報を読み取り、記憶媒体４０６に情報を書き込むことができるように処理回路５１０に結合され得る。すなわち、記憶媒体５０４が処理回路５１０によって少なくともアクセス可能であるように、記憶媒体５０４は処理回路５１０に結合されることができ、それは、少なくとも１つの記憶媒体が処理回路５１０に一体化される例、および／または少なくとも１つの記憶媒体が処理回路５１０から分離される例（例えば、装置５００に内在、装置５００の外部、複数のエンティティにわたって分配される）を含む。
【００５０】
[0061]  記憶媒体５０４によって記憶されるプログラミングは、処理回路５１０によって実行されると、処理回路５１０に、本明細書において説明される様々な機能および／または処理ステップのうちの１つ以上を行なわせる。例えば、記憶媒体５０４は、処理回路５１０の１つ以上のハードウェアブロックでの動作を調整するために、並びにそれらのそれぞれの通信プロトコルを利用するワイヤレス通信のための通信インターフェース５０２を利用するように、構成された動作を含み得る。
【００５１】
[0062]  処理回路５１０は、概して、記憶媒体５０４で記憶されたそのようなプログラミングの実行を含む処理のために適応される。本明細書において使用されるように、「プログラミング」または「コード」という用語は、ソフトウェア、ファームウェア、ミドルウェア、マイクロコード、ハードウェア記述言語、またはそれ以外で称されようと、限定ではなく、命令、命令のセット、データ、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、手順、関数、プログラミング、等を含むように幅広く解釈されるべきである。
【００５２】
[0063]  処理回路５１０は、データを取得、処理、および／または送信し、データアクセスおよびデータ記憶を制御し、コマンドを発行し、他の所望の動作を制御するように配置される。処理回路５１０は、少なくとも１つの例において、適切な媒体によって提供される所望のプログラミングを実現するように構成された回路を含み得る。例えば、処理回路５１０は、１つ以上のプロセッサ、１つ以上のコントローラ、および／または実行可能なプログラミングを実行するように構成された他の構造として実現され得る。処理回路５１０の例は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理コンポーネント、ディスクリートゲートまたはトランジスタ論理、ディスクリートハードウェアコンポーネント、または、本明細書において説明される機能を行なうように設計されたこれらの任意の組み合わせを含み得る。汎用プロセッサは、マイクロプロセッサ、並びに任意の従来のプロセッサ、コントローラ、マイクロコントローラ、またはステートマシンを含み得る。処理回路５１０はまた、ＤＳＰとマクロプロセッサ、多数のマイクロプロセッサ、ＤＳＰコアに連結した１つ以上のマイクロプロセッサ、ＡＳＩＣとマイクロプロセッサ、の組み合わせのようなコンピューティングコンポーネントの組み合わせ、または任意の他の多くの多様な構成として実現され得る。処理回路５１０のこれらの例は、例示のためものであり、本開示の範囲内の他の適切な構成もまた、考慮される。
【００５３】
[0064]  本開示の１つ以上の態様によると、処理回路５１０は、本明細書において説明される任意のまたはすべての装置のための任意またはすべての特徴、処理、機能、ステップ、および／またはルーチンを行なうように適応され得る。本明細書において使用されるように、処理回路５１０に関連する「適応される」という用語は、処理回路５１０が、本明細書において説明される様々な特徴に従って特定のプロセス、機能、ステップ、および／またはルーチンを行なうように、構成、採用、実現、および／またはプログラミングのうちの１つ以上が行なわれることを指し得る。
【００５４】
[0065]  装置５００の少なくとも１つの例によると、処理回路５１０は、メッセージを受信するためのモジュール５２０と、チャネルのサブセットリストを生成するためのモジュール５２２と、チャネルを識別するためのモジュール５２４と、アクセス端末（ＡＴ）が１つ以上のチャネルをサポートしないと決定するためのモジュール５２６と、チャネルの量を計算するためのモジュール５２８とを含み得る。
【００５５】
[0066]  メッセージを受信するためのモジュール５２０は、例えば、チャネルのリストを備えるメッセージを受信することに関するいくつかの機能を行なうように適応された回路および／またはプログラミングを含み得る。これら機能のうちの１つは、別のコンポーネントからの特定のデータの転送を引き起こすこと（invoking）を伴う。例えば、装置５００の受信機５１６は、アクセスポイントからのブロードキャスト信号に対してモニタリングを行ない、ブロードキャスト信号で符号化されたメッセージを導出するためにブロードキャスト信号を復号するように構成され得る。これら機能のもう１つは、転送されたデータを獲得することを伴う。例えば、メッセージを受信するためのモジュール５２０は、受信機５１６からチャネルのリストを備えるメッセージを受信し得る。これら機能のもう１つは、処理回路の別のコンポーネントまたは装置５００の何らかの他のコンポーネントによってアクセスのためのデータを記憶することを伴う。例えば、メッセージを受信するためのモジュール５２０は、メモリ５０８内の特定のメモリ位置に以前の機能で獲得されたメッセージを記憶し得る。いくつかの実現において、上記プログラミングは、記憶媒体５０４に記憶されたメッセージを受信するためのモジュール５３０を備える。
【００５６】
[0067]  チャネルのサブセットリストを生成するためのモジュール５２２は、例えば、チャネルのリストからチャネルエントリを取り除くことによってチャネルのサブセットリストを生成することに関するいくつかの機能を行なうように適応された回路および／またはプログラミングを含み得る。これら機能のうちの１つは、チャネルのリストを獲得することを伴う。例えば、少なくとも１つのチャネルを取り除くためのモジュール５２２は、メッセージを受信するためのモジュール５２０がメモリ５０８に記憶したチャネルのリストを検索し得る。これら機能のもう１つは、どのチャネルがリストに存在すべきでないかを示す情報を獲得することを伴う。いくつかの実現において、アクセス端末は、アクセス端末によってサポートされていないチャネルをリストから取り除く。例えば、低コストのアクセス端末は、単に、ネットワークにおいて動作中のチャネルのいくつかをサポートするだけの制限されたハードウェア構成を有し得る。従って、サポートされているチャネルのリストおよび／またはサポートされていないチャネルのリストは、メモリ５０８に、または何らかの他の方法で、記憶されることができる。よって、少なくとも１つのチャネルを取り除くためのモジュール５２２は、どのチャネルが装置５００によって使用されるチャネルリストに存在すべきでないかを識別するために、そのようなリストを検索することができる。これら機能のもう１つは、いずれかの（any）チャネルを取り除くかどうかを決定するためにリストを評価することを伴う。例えば、受信されたチャネルのリストは、チャネルのリストから取り除かれるべきチャネルを識別するために（以前の機能で説明されているような）サポートされているチャネルのリストと比較されることができる。これら機能のもう１つは、チャネルリストのサブセットを生成するために、本来のチャネルリストから必要に応じてチャネルを取り除くことを伴う。リストからチャネルを取り除くという行為は、例えば、リストからチャネルエントリを取り除くこと、チャネルが考慮（consideration）から取り除かれたことを示すパラメータを設定すること、または取り除かれたチャネルを含まない新しいリストを生成することを伴うことができる。いくつかの実現において、上記プログラミングは、記憶媒体５０４に記憶されたチャネルのサブセットリストを生成するためのモジュール５３２を備える。
【００５７】
[0068]  チャネルを識別するためのモジュール５２４は、例えば、予期されるチャネルのサブセットリストから通信のために使用されるチャネルを識別することに関するいくつかの機能を行なうように適応された回路および／またはプログラミングを含み得る。これら機能のうちの１つは、チャネルのサブセットリストを獲得することを伴う。例えば、リストを受信すると、アクセス端末は、特定のメモリ位置にリストを記憶し得る。よって、チャネルを識別するためのモジュール５２４は、このリストを特定のメモリ位置から検索することができる。これら機能のもう１つは、アルゴリズムのための入力パラメータを獲得することを伴う。例えば、上記の３ＧＰＰ２ Ｃ．Ｓ００２４−Ｂ ｖ３．０で特定されたチャネル選択のハッシュアルゴリズムは、次のような３つの入力パラメータを用いることができる：キー（例えば、アクセス端末識別子）、減相関パラメータ（de-correlation parameter）、およびチャネルが選択される表中のチャネル数。これらパラメータの各々は、特定のメモリ位置に記憶され得る。よって、チャネルを識別するためのモジュール５２４は、これらパラメータを特定のメモリ位置から検索することができる。これら機能のもう１つは、チャネルを識別するように動作するアルゴリズムを呼び出すこと（invoking）を伴う。例えば、以前の機能で獲得された入力パラメータに基づいてリストからチャネルを選択するハッシュアルゴリズムが呼び出され得る。そのようなハッシュアルゴリズムの一例は、上記の３ＧＰＰ２ Ｃ．Ｓ００２４−Ｂ ｖ３．０において特定される。これら機能のもう１つは、識別されたチャネルのインジケーションを出力することを伴う。例えば、上記のハッシュアルゴリズムによって識別されたチャネルの識別子は、特定のメモリ位置に記憶され得る、または別の機能にパスされ得る。いくつかの実現において、上記プログラミングは、記憶媒体５０４に記憶されたチャネルを識別するためのモジュール５３４を備える。
【００５８】
[0069]  さらに、ＡＴが１つ以上のチャネルをサポートしないと決定するためのモジュール５２６は、例えば、ＡＴによってサポートされていないチャネルを識別することに関するいくつかの機能を行なうように適応された回路および／またはプログラミングを含み得る。これら機能の１つは、ＡＴによってサポートされていないチャネルについての決定がなされるというインジケーションを受信することを伴う。例えば、上記のチャネルリストを獲得する機能は、ＡＴによってサポートされていないチャネルがあるかどうかを決定するためにインジケーション（例えば、関数呼び出し（a function call））を生成し得る。これら機能のもう１つは、どのチャネルがＡＴによってサポートされているか、および／またはどのチャネルがＡＴによってサポートされていないかを示す情報を獲得することを伴う。例えば、低コストのアクセス端末は、単に、ネットワークにおいて動作中のチャネルのいくつかをサポートする制限されたハードウェア構成を有し得る。従って、サポートされているチャネルのリストおよび／またはサポートされていないチャネルのリストは、メモリ５０８に、または何らかの他の方法で、記憶されることができる。よって、ＡＴが１つ以上のチャネルをサポートしないと決定するためのモジュール５２６は、どのチャネルが装置５００によってサポートされているか、またはサポートされていないかを識別するために、そのようなリストを検索することができる。これら機能のもう１つは、ＡＴによってサポートされていない１つ以上のチャネルのインジケーションを出力することを伴う。例えば、上記のインジケーションは、特定のメモリ位置に記憶され得る、または別の機能にパスされ得る。いくつかの実現において、上記プログラミングは、（記憶媒体５０４に記憶された）ＡＴが１つ以上のチャネルをサポートしないと決定するためのモジュール５３６を備える。
【００５９】
[0070]  また、チャネルの量を計算するためのモジュール５２８は、例えば、どれほどのチャネルがチャネルのリストにリストされているかを決定することに関するいくつかの機能を行なうように適応された回路および／またはプログラミングを含み得る。これら機能のうちの１つは、チャネルリストを獲得することを伴う。例えば、リストを受信すると、アクセス端末は、特定のメモリ位置にリストを記憶し得る。よって、チャネルの量を計算するためのモジュール５２８は、このリストを特定のメモリ位置から検索することができる。これら機能のもう１つは、どれほどのチャネルがチャネルリストにリストされているのかを決定するようにリスト上で動作するアルゴリズムを行なうことを伴う。例えば、リスト内の各チャネルエントリは、エントリ番号によって示され得る。この場合、どれほどのチャネルエントリがリストにあるのかを決定することは、最高エントリ番号（the highest entry number）を決定することを伴い得る。これら機能のもう１つは、チャネルリストにリストされているチャネルの数のインジケーションを出力することを伴う。例えば、以前の機能で決定されたチャネルの数を示す番号は、特定のメモリ位置に記憶されることができる。いくつかの実現において、上記プログラミングは、記憶媒体５０４に記憶されたチャネルの量を計算するためのモジュール５３８を備える。
【００６０】
[0071]  上記のように、記憶媒体５０４によって記憶されるプログラミングは、処理回路５１０によって実行されると、処理回路５１０に、本明細書において説明される様々な機能および／または処理ステップのうちの１つ以上を行なわせる。例えば、記憶媒体５０４は、メッセージを受信するためのモジュール（例えば、動作）５３０、チャネルのサブセットリストを生成するためのモジュール５３２、チャネルを識別するためのモジュール５３４、アクセス端末（ＡＴ）が１つ以上のチャネルをサポートしないと決定するためのモジュール５３６、およびチャネルの量を計算するためのモジュール５３８の１つ以上を含み得る。
【００６１】
[0072]  図６は、本開示のいくつかの態様に従ってチャネル識別動作のためのプロセス６００を示す。プロセス６００は、処理回路５１０（図５）内で行なわれ得、それは、アクセス端末または何らかの他の適切な装置に位置し得る。別の態様において、プロセス６００は、図１に示されるアクセス端末１０４によって実現され得る。当然ながら、本開示の範囲内の様々な態様において、プロセス６００は、チャネル識別動作をサポートすることができる任意の適切な装置によって実現され得る。
【００６２】
[0073]  ブロック６０２において、ある時点で、ネットワークにおいて動作中のチャネルのリストを特定するメッセージが受信される。本明細書において説明されるように、いくつかの実現において、メッセージは、３ＧＰＰ２セクタパラメータメッセージである。他のタイプのメッセージは、他の技術に基づく実現で受信されることができる。
【００６３】
[0074]  ブロック６０４において、チャネルのサブセットリストは、チャネルのリストから少なくとも１つのチャネルを取り除くことで生成される。この除去は、様々な方法で達成され得る。いくつかの実現において、チャネルエントリは、サブセットリストを生成するためにリストから明示的に取り除かれる。例えば、そのチャネルのためのエントリが、リストから削除され得る。いくつかの実現において、チャネルは、サブセットリストを生成するためにリストから暗黙的に取り除かれる。例えば、チャネルエントリは、チャネルエントリが取り除かれるものとして指定される（例えば、エントリが、除外されたもの、無効なもの、不適格と見なされたもの、等として指定される）ことで、リストから取り除かれ得る。よって、いくつかの態様において、チャネルのリストからの少なくとも１つのチャネルの除去は、チャネルのリストからの少なくとも１つのチャネルの各々がネットワークとの通信を確立することについての考慮から除外されるというインジケーションを記憶することを備え得る。
【００６４】
[0075]  注目すべきことは、除去は、チャネルのリストから少なくとも１つのチャネルを取り除くためにネットワークとネゴシエートすることなく行なわれる。すなわち、アクセス端末は、少なくとも１つのチャネルを自律的に取り除く。例えば、ブロック６０４の動作は、ネットワークの基地局と拡張音声データ最適化（ＥＶＤＯ）セッションをネゴシエートしていないアクセス端末によって行なわれ得る（例えば、アクセス端末は、デフォルトのアイドル状態プロトコルの下で動作する）。
【００６５】
[0076]  ブロック６０６において、ネットワークとの通信を確立するために、チャネルのサブセットリストからのチャネルが識別される。例えば、ハッシュアルゴリズムは、チャネルのサブセットリスト内のチャネルのうちの１つを選択するために呼び出され得る。よって、ネットワーク（例えば、アクセスネットワーク）との最初の通信は、識別されたチャネルを介して確立され得る。
【００６６】
[0077]  図７は、本開示の他の態様に従ってチャネル識別動作のためのプロセス７００を示す。プロセス７００は、処理回路５１０（図５）内で行なわれ得、それは、アクセス端末または何らかの他の適切な装置に位置し得る。別の態様において、プロセス７００は、図１に示されるアクセス端末１０４によって実現され得る。当然ながら、本開示の範囲内の様々な態様において、プロセス７００は、チャネル識別動作をサポートすることができる任意の適切な装置によって実現され得る。
【００６７】
[0078]  ブロック７０２において、ネットワークにおいて動作中のチャネルのリストを特定するメッセージが受信される。いくつかの態様において、ブロック７０２の動作は、上記のブロック６０２の動作と同様であり得る。
【００６８】
[0079]  ブロック７０４において、アクセス端末がチャネルのリストにリストされている１つ以上のチャネルをサポートしないとの決定がなされる。例えば、ブロック７０４の動作は、アクセス端末のハードウェアが１つ以上のチャネルをサポートしないと決定することを伴い得る。
【００６９】
[0080]  ブロック７０６において、アクセス端末がサポートしない１つ以上のチャネルが、チャネルのサブセットリストを生成するためにチャネルのリストから取り除かれる。いくつかの態様において、これら動作は、上記のブロック６０４の動作と同様であり得る。
【００７０】
[0081]  ブロック７０８において、ネットワークとの通信を確立するために、サポートされているチャネルのサブセットリストの中からのチャネルが識別される。ここで、サポートされているチャネルは、１つ以上の取り除かれたチャネル（単数または複数）以外のチャネルを備える。いくつかの態様において、ブロック７０８の動作は、上記のブロック６０６の動作と同様であり得る。
【００７１】
[0082]  図８は、本開示の他のさらなる態様に従ってチャネル識別動作のためのプロセス８００を示す。プロセス８００は、処理回路５１０（図５）内で行なわれ得、それは、アクセス端末または何らかの他の適切な装置に位置し得る。別の態様において、プロセス８００は、図１に示されるアクセス端末１０４によって実現され得る。当然ながら、本開示の範囲内の様々な態様において、プロセス８００は、チャネル識別動作をサポートすることができる任意の適切な装置によって実現され得る。
【００７２】
[0083]  ブロック８０２において、ネットワークにおいて動作中のチャネルのリストを特定するメッセージが受信される。いくつかの態様において、ブロック８０２の動作は、上記のブロック６０２の動作と同様であり得る。
【００７３】
[0084]  ブロック８０４において、少なくとも１つのチャネルが、チャネルのサブセットリストを生成するためにチャネルのリストから取り除かれる。いくつかの態様において、ブロック８０４の動作は、上記のブロック６０４の動作と同様であり得る。
【００７４】
[0085]  ブロック８０６において、チャネルのリストからの少なくとも１つのチャネルの除去の結果として、チャネルのサブセットリストにリストされているチャネルの量が計算される。例えば、アクセス端末によってサポートされているリスト内のチャネルの数が決定され得る。
【００７５】
[0086]  ブロック８０８において、チャネルのサブセットリスト内にインデックスを生成するために、ハッシュアルゴリズムが実行される。ここで、ブロック８０６で計算されたチャネルの量は、ハッシュアルゴリズムのための入力パラメータである。本明細書において説明されるように、ハッシュアルゴリズムは、チャネルのリスト内にインデックスを生成し得る。例えば、そして、制限なく、３ＧＰＰ２ Ｃ．Ｓ００２４−Ｂ ｖ３．０において特定されるようなチャネル選択のハッシュアルゴリズムがここで用いられ得る。そのようなハッシュアルゴリズムは、次のような３つの入力パラメータを用いることができる：キー（例えば、アクセス端末識別子）、減相関パラメータ、およびチャネル表のチャネルの数。これら入力パラメータに基づいて、ハッシュアルゴリズムは、チャネルリスト内のチャネルのうちの１つに対応するインデックスを生成する。
【００７６】
[0087]  ブロック８１０において、（ブロック８０４の除去の後の）チャネルのリストからのチャネルが、ブロック８０８で生成されたインデックスに基づいて識別される。
【００７７】
[0088]  図９は、本開示のいくつかの態様に従って３ＧＰＰ２通信動作のためのプロセス９００を示す。プロセス９００は、処理回路５１０（図５）内で行なわれ得、それは、アクセス端末または何らかの他の適切な装置に位置し得る。別の態様において、プロセス９００は、図１に示されるアクセス端末１０４によって実現され得る。当然ながら、本開示の範囲内の様々な態様において、プロセス９００は、通信動作をサポートすることができる任意の適切な装置によって実現され得る。
【００７８】
[0089]  ブロック９０２において、最初は、ＥＶＤＯセッションが確立されていない。例えば、アクセス端末は、最近電源オンまたはリセットされた可能性がある、または、アクセス端末は、最近アクセスネットワークのカバレッジに入った可能性がある。さらに、アクセス端末は、デフォルトのアイドル状態プロトコルの下で動作し得る。
【００７９】
[0090]  ブロック９０４において、ネットワークにおいて動作中のチャネルのリストを特定するメッセージが受信される。いくつかの態様において、ブロック９０４の動作は、上記のブロック６０２の動作と同様であり得る。
【００８０】
[0091]  ブロック９０６において、チャネルは、リストからのサポートされていないチャネルの除去後に識別される。いくつかの態様において、ブロック９０６の動作は、上記のブロック６０４および６０６の動作、および／またはブロック７０４乃至７０８の動作と同様であり得る。
【００８１】
[0092]  ブロック９０８において、通信が、ブロック９０６で識別されたチャネルを介して基地局と確立される。例えば、アクセス端末は、識別されたチャネル上で基地局からメッセージを受信しようとし得る、および／または基地局にメッセージを送信しようとし得る。
【００８２】
[0093]  ブロック９１０において、ＥＶＤＯセッションネゴシエーションが行なわれる。例えば、アクセス端末および基地局は、ＥＶＤＯセッションを確立するためにブロック９０６で識別されたチャネルで通信し得る。注目すべきは、このネゴシエーションは、ブロック９０６におけるリストからのチャネル（単数または複数）の除去後に行なわれることである。いくつかの場合において、ブロック９１０のネゴシエーションは、アクセス端末と基地局との間の後続の通信のために（ブロック９０６で識別されたチャネル以外の）別のチャネルを識別することを伴い得る。
【００８３】
[0094]  図１０は、例示的なアクセス端末１０５０と通信している例示的な基地局１０１０のブロック図であり、ここで、基地局１０１０は図１の基地局１０２であり得、アクセス端末１０５０は図１のアクセス端末１０４であり得る。ダウンリンク通信では、コントローラまたはプロセッサ１０４０が、データソース１０１２からデータを受信し得る。チャネル推定は、送信プロセッサ１０２０のためにコーディング、変調、拡散、および／またはスクランブリングスキームを決定するために、コントローラ／プロセッサ１０４０によって使用され得る。これらのチャネル推定は、アクセス端末１０５０によって送信された参照信号から、またはアクセス端末１０５０からのフィードバックから、導出され得る。送信機１０３２は、フレームを増幅、フィルタリング、および１つ以上のアンテナ１０３４を通じてワイヤレス媒体の上のダウンリンク送信のためにキャリアの上へ変調することを含む、様々な信号調節機能を提供する。アンテナ１０３４は、例えば、ビームステアリング双方向適応アンテナアレイ、ＭＩＭＯアレイ、または任意の他の適切な送信／受信技術を含む、１つ以上のアンテナを含み得る。
【００８４】
[0095]  アクセス端末１０５０において、受信機１０５４は、１つ以上のアンテナ１０５２を通じてダウンリンク送信を受信し、キャリアの上へ変調された情報を回復するために送信を処理する。受信機１０５４によって回復された情報は、コントローラ／プロセッサ１０９０に提供される。受信プロセッサ１０９０は、シンボルを逆スクランブルおよび逆拡散し、変調スキームに基づいて基地局１０１０によって送信された最も可能性の高い信号コンスタレーションポイントを決定する。これらの軟判定は、プロセッサ１０９０によって計算されたチャネル推定値に基づき得る。軟判定は、その後、データ、制御、および基準信号を回復するために、復号およびデインターリーブされる。ＣＲＣコードは、その後、フレームが成功裏に復号されたかどうかを決定するために、チェックされる。成功裏に復号されたフレームによって搬送されるデータは、その後、データシンク１０７２に提供され、それは、アクセス端末１０５０および／または様々なユーザインターフェース（例えば、ディスプレイ）において実行中のアプリケーションを表す。成功裏に復号されたフレームによって搬送された制御信号は、コントローラ／プロセッサ１０９０に提供される。フレームの復号が失敗すると、コントローラ／プロセッサ１０９０はまた、それらのフレームの再送要求をサポートするために、肯定応答（ＡＣＫ）および／または否定応答（ＮＡＣＫ）プロトコルを使用し得る。
【００８５】
[0096]  アップリンクにおいて、データソース１０７８からのデータおよびコントローラ／プロセッサ１０９０からの制御信号が提供される。データソース１０７８は、アクセス端末１０５０において実行中のアプリケーションおよび様々なユーザインターフェース(例えば、キーボード)を表し得る。基地局１０１０によるダウンリンク送信に関連して説明された機能と同様に、プロセッサ１０９０は、ＣＲＣコード、ＦＥＣを容易にするためのコーディングおよびインタリーブ、信号コンスタレーションへのマッピング、ＯＶＳＦを用いた拡散、および一連のシンボルを生成するためのスクランブリングを含む、様々な信号処理機能を提供する。基地局１０１０によって送信された参照信号から、または基地局１０１０によって送信されたミッドアンブルに包含されたフィードバックからプロセッサ１０９０によって導出されたチャネル推定は、適切なコーディング、変調、拡散、および／またはスクランブリングスキームを選択するために使用され得る。プロセッサ１０９０によって生成されたシンボルは、フレーム構造を作り出すために利用される。プロセッサ１０９０は、更なる情報とシンボルとを多重化することによって、このフレーム構造を作り出し、これにより一連のフレームが得られる。フレームは、その後、送信機１０５６に提供され、それは、フレームを増幅、フィルタリング、および１つ以上のアンテナ１０５２を通じてワイヤレス媒体の上のダウンリンク送信のためにキャリアの上へ変調することを含む、様々な信号調節機能を提供する。
【００８６】
[0097]  アップリンク送信は、アクセス端末１０５０における受信機機能と関連して説明されたものと同様の方法で基地局１０１０において処理される。受信機１０３５は、１つ以上のアンテナ１０３４を通じてアップリンク送信を受信し、キャリアの上へ変調された情報を回復するために送信を処理する。受信機１０３５によって回復された情報は、プロセッサ１０４０に提供され、それは、各フレームをパースする（parses）。プロセッサ１０４０は、アクセス端末１０５０におけるプロセッサ１０９０によって行なわれた処理の逆を行なう。成功裏に復号されたフレームによって搬送されたデータおよび制御信号は、その後、データシンク１０３９に提供され得る。フレームのいくつかが受信機プロセッサによる復号が失敗すると、コントローラ／プロセッサ１０４０はまた、それらのフレームの再送要求をサポートするために、肯定応答（ＡＣＫ）および／または否定応答（ＮＡＣＫ）プロトコルを使用し得る。
【００８７】
[0098]  コントローラ／プロセッサ１０４０および１０９０は、それぞれ、基地局１０１０およびアクセス端末１０５０における動作を指示するために使用され得る。例えば、コントローラ／プロセッサ１０４０および１０９０は、タイミング、周辺インターフェース、電圧調整、電力管理、および他の制御機能を含む、様々な機能を提供し得る。メモリ１０４２および１０９２のコンピュータ可読媒体は、それぞれ、基地局１０１０およびアクセス端末１０５０のためのデータおよびソフトウェアを記憶し得る。
結論
[0099]  上で説明した態様、配置、および実施形態は具体的詳細および特性を用いて説明されたが、図４、６、７、８、または９のうちの１つ以上に示されたコンポーネント、ステップ、特徴、および／または機能のうちの１以上は、単一のコンポーネント、ステップ、特徴または機能へと再配置および／または組み合わせられ得る、またはいくつかのコンポーネント、ステップ、または機能において具現化され得る。更なるエレメント、コンポーネント、ステップ、および／または機能もまた、本明細書の教示から逸脱することなく追加され得る、または利用されない。図１、５、または１０のうちの１つ以上に示される装置、デバイス、および／またはコンポーネントは、図４、６、７、８、または９のうちの１つ以上において説明される方法、特徴、パラメータ、またはステップのうちの１つ以上を行なうまたは用いるように構成され得る。本明細書において説明された新規なアルゴリズムもまた、ソフトウェアで効率的に実現され得る、および／またはハードウェアに組み込まれ得る。
【００８８】
[00100]  また、少なくともいくつかの実現が、フローチャート、フロー図、構造図、またはブロック図として描かれるプロセスとして説明されていることに留意されたい。フローチャートは連続したプロセスとして動作を説明し得るが、動作の多くは並行に、または同時に行なわれることができる。さらに、動作の順序は再配置され得る。プロセスは、その動作が完了した時に終了する。プロセスは、方法、機能、手順、サブルーチン、サブプログラム、等と対応し得る。プロセスが関数に対応する場合、その終了は、この関数が呼び出し関数または主関数に戻ることに対応する。本明細書において説明される様々な方法が、機械可読記憶媒体、コンピュータ可読記憶媒体、および／またはプロセッサ可読記憶媒体において記憶され得るプログラミング（例えば、命令および／またはデータ）によって部分的に、または完全に実現され得、１つ以上のプロセッサ、機械、および／またはデバイスによって実行され得る。
【００８９】
[00101]  当業者はさらに、本明細書に開示された実施形態と関連して説明された様々な実例となる論理ブロック、モジュール、回路、およびアルゴリズムステップが、ハードウェア、ソフトウェア、ファームウェア、ミドルウェア、マイクロコード、またはそれらの任意の組み合わせとして実現され得ることを理解するであろう。この互換性を明確に示すために、様々な実例となるコンポーネント、ブロック、モジュール、回路、およびステップが、一般的にそれらの機能の観点から上述されている。そのような機能が、ハードウェアとして実現されるか、またはソフトウェアとして実現されるかは、特定のアプリケーションおよびシステム全体に課せられる設計制約に依存する。
【００９０】
[00102]  本明細書において説明され、添付図面に示された例に関連付けられた様々な特徴は、本開示の範囲から逸脱することなく異なる例および実現において実現されることができる。従って、ある特定の構成および配置は添付図面において説明され、示されているが、説明された実施形態に対する様々な他の追加および変更、並びに説明された実施形態からの削除は、当業者には明らかであるため、そのような実施形態は、単なる実例にすぎず、本開示の範囲に限定的ではない。よって、本開示の範囲は、以下の特許請求の範囲のリテラル言語（literal language）、および法的に同等のもの（legal equivalents）によってのみ決定される。
以下に、出願当初の特許請求の範囲に記載された発明を付記する。
［Ｃ１］
ワイヤレス通信の方法であって、
ネットワークにおいて動作中のチャネルのリストを特定するメッセージを受信することと、
前記チャネルのリストから少なくとも１つのチャネルを取り除くために前記ネットワークとネゴシエートすることなく前記チャネルのリストから前記少なくとも１つのチャネルを取り除くことでチャネルのサブセットリストを生成することと、
前記ネットワークとの通信を確立するために前記チャネルのサブセットリストからチャネルを識別することと
を備える、方法。
［Ｃ２］
前記アクセス端末が前記チャネルのリストにリストされている１つ以上のチャネルをサポートしないと決定することと、
前記アクセス端末がサポートしない前記１つ以上のチャネルを前記チャネルのリストから取り除くことと
をさらに備える、Ｃ１に記載の方法。
［Ｃ３］
前記アクセス端末のハードウェアが前記１つ以上のチャネルをサポートしないと決定することをさらに備える、Ｃ２に記載の方法。
［Ｃ４］
前記チャネルのリストからの前記少なくとも１つのチャネルの各々が前記ネットワークとの前記通信を確立することについての考慮から除外されるというインジケーションを記憶することをさらに備える、Ｃ１に記載の方法。
［Ｃ５］
前記チャネルのリストからの前記少なくとも１つのチャネルの除去の結果として、前記チャネルのサブセットリストにリストされているチャネルの量を計算することと、 
前記チャネルのサブセットリスト内にインデックスを生成するためにハッシュアルゴリズムを実行することとをさらに備え、
前記チャネルの量は、前記ハッシュアルゴリズムのための入力パラメータである、Ｃ１に記載の方法。
［Ｃ６］
前記ネットワークの基地局と拡張音声データ最適化（ＥＶＤＯ）セッションをネゴシエートすることなく前記少なくとも１つのチャネルを取り除くことをさらに備える、Ｃ１に記載の方法。
［Ｃ７］
前記チャネルのリストからの前記少なくとも１つのチャネルの前記除去後に、前記ネットワークの基地局との拡張音声データ最適化（ＥＶＤＯ）セッションネゴシエーションを行なうことをさらに備える、Ｃ１に記載の方法。
［Ｃ８］
ワイヤレス通信のために構成された装置であって、
少なくとも１つの処理回路と、
前記少なくとも１つの処理回路に結合されたメモリと、
前記少なくとも１つの処理回路に結合された通信インターフェースとを備え、
前記少なくとも１つの処理回路は、
ネットワークにおいて動作中のチャネルのリストを特定するメッセージを受信することと、
前記チャネルのリストから少なくとも１つのチャネルを取り除くために前記ネットワークとネゴシエートすることなく前記チャネルのリストから前記少なくとも１つのチャネルを取り除くことでチャネルのサブセットリストを生成することと、
前記ネットワークとの通信を確立するために前記チャネルのサブセットリストからチャネルを識別することと
を行なうように構成される、装置。
［Ｃ９］
前記少なくとも１つの処理回路はさらに、
前記装置が前記チャネルのリストにリストされている１つ以上のチャネルをサポートしないと決定することと、
前記装置がサポートしない前記１つ以上のチャネルを前記チャネルのリストから取り除くことと
を行なうように構成される、Ｃ８に記載の装置。
［Ｃ１０］
前記少なくとも１つの処理回路はさらに、前記装置のハードウェアが前記１つ以上のチャネルをサポートしないと決定するように構成される、Ｃ９に記載の装置。
［Ｃ１１］
前記少なくとも１つの処理回路はさらに、前記チャネルのリストからの前記少なくとも１つのチャネルの各々が前記ネットワークとの前記通信を確立することについての考慮から除外されるというインジケーションを記憶するように構成される、Ｃ８に記載の装置。
［Ｃ１２］
前記少なくとも１つの処理回路はさらに、前記チャネルのリストからの前記少なくとも１つのチャネルの前記除去の結果として、前記チャネルのサブセットリストにリストされているチャネルの量を計算するように構成され、
前記少なくとも１つの処理回路はさらに、前記チャネルのサブセットリスト内にインデックスを生成するためにハッシュアルゴリズムを実行するように構成され、
前記チャネルの量は、前記ハッシュアルゴリズムのための入力パラメータである、Ｃ８に記載の装置。
［Ｃ１３］
前記少なくとも１つの処理回路はさらに、前記ネットワークの基地局と拡張音声データ最適化（ＥＶＤＯ）セッションをネゴシエートすることなく前記少なくとも１つのチャネルを取り除くように構成される、Ｃ８に記載の装置。
［Ｃ１４］
前記少なくとも１つの処理回路はさらに、前記チャネルのリストからの前記少なくとも１つのチャネルの前記除去後に、前記ネットワークの基地局との拡張音声データ最適化（ＥＶＤＯ）セッションネゴシエーションを行なうように構成される、Ｃ８に記載の装置。
［Ｃ１５］
ワイヤレス通信のために構成された装置であって、
ネットワークにおいて動作中のチャネルのリストを特定するメッセージを受信するための手段と、
前記チャネルのリストから少なくとも１つのチャネルを取り除くために前記ネットワークとネゴシエートすることなく前記チャネルのリストから前記少なくとも１つのチャネルを取り除くことでチャネルのサブセットリストを生成するための手段と、
前記ネットワークとの通信を確立するために前記チャネルのサブセットリストからチャネルを識別するための手段と
を備える、装置。
［Ｃ１６］
前記装置が前記チャネルのリストにリストされている１つ以上のチャネルをサポートしないと決定するための手段をさらに備え、
前記生成するための手段は、前記装置がサポートしない前記１つ以上のチャネルを前記チャネルのリストから取り除くように構成される、Ｃ１５に記載の装置。
［Ｃ１７］
前記生成するための手段は、前記装置のハードウェアが前記１つ以上のチャネルをサポートしないと決定するように構成される、Ｃ１６に記載の装置。
［Ｃ１８］
前記チャネルのリストからの前記少なくとも１つのチャネルの前記除去の結果として、前記チャネルのサブセットリストにリストされているチャネルの量を計算するための手段をさらに備え、
前記チャネルを識別するための前記手段は、前記チャネルのサブセットリスト内にインデックスを生成するためにハッシュアルゴリズムを実行するように構成され、
前記チャネルの量は、前記ハッシュアルゴリズムのための入力パラメータである、Ｃ１５に記載の装置。
［Ｃ１９］
前記チャネルのサブセットリストを生成するための前記手段は、前記ネットワークの基地局と拡張音声データ最適化（ＥＶＤＯ）セッションをネゴシエートすることなく前記少なくとも１つのチャネルを取り除くように構成される、Ｃ１５に記載の装置。
［Ｃ２０］
前記チャネルのリストからの前記少なくとも１つのチャネルの前記除去後に、前記ネットワークの基地局との拡張音声データ最適化（ＥＶＤＯ）セッションネゴシエーションを行なうための手段をさらに備える、Ｃ１５に記載の装置。
［Ｃ２１］
製品であって、
通信デバイスに、
ネットワークにおいて動作中のチャネルのリストを特定するメッセージを受信することと、
前記チャネルのリストから少なくとも１つのチャネルを取り除くために前記ネットワークとネゴシエートすることなく前記チャネルのリストから前記少なくとも１つのチャネルを取り除くことでチャネルのサブセットリストを生成することと、
前記ネットワークとの通信を確立するために前記チャネルのサブセットリストからチャネルを識別することとを行なわせるためのコードを備えるコンピュータ可読記憶デバイス
を備える、製品。
［Ｃ２２］
前記コンピュータ可読媒体はさらに、前記通信デバイスに、
アクセス端末が前記チャネルのリストにリストされている１つ以上のチャネルをサポートしないと決定することと、
前記アクセス端末がサポートしない前記１つ以上のチャネルを前記チャネルのリストから取り除くことと
を行なわせるためのコードを備える、Ｃ２１に記載の製品。
［Ｃ２３］
前記コンピュータ可読媒体はさらに、前記通信デバイスに、前記アクセス端末のハードウェアが前記１つ以上のチャネルをサポートしないと決定することを行なわせるためのコードを備える、Ｃ２２に記載の製品。
［Ｃ２４］
前記コンピュータ可読媒体はさらに、前記通信デバイスに、前記チャネルのリストからの前記少なくとも１つのチャネルの前記除去の結果として、前記チャネルのサブセットリストにリストされているチャネルの量を計算することを行なわせるためのコードを備え、
前記コンピュータ可読媒体はさらに、前記通信デバイスに、前記チャネルのサブセットリスト内にインデックスを生成するためにハッシュアルゴリズムを実行することを行なわせるためのコードを備え、
前記チャネルの量は、前記ハッシュアルゴリズムのための入力パラメータである、Ｃ２１に記載の製品。
［Ｃ２５］
前記コンピュータ可読媒体はさらに、前記通信デバイスに、前記ネットワークの基地局と拡張音声データ最適化（ＥＶＤＯ）セッションをネゴシエートすることなく前記少なくとも１つのチャネルを取り除くことを行なわせるためのコードを備える、Ｃ２１に記載の製品。
［Ｃ２６］
前記コンピュータ可読媒体はさらに、前記通信デバイスに、前記チャネルのリストからの前記少なくとも１つのチャネルの前記除去後に、前記ネットワークの基地局との拡張音声データ最適化（ＥＶＤＯ）セッションネゴシエーションを行なうことを行なわせるためのコードを備える、Ｃ２１に記載の製品。
【図１】
0006571081.tif 000002
【図２】
0006571081.tif 000003
【図３】
0006571081.tif 000004
【図４】
0006571081.tif 000005
【図５】
0006571081.tif 000006
【図６】
0006571081.tif 000007
【図７】
0006571081.tif 000008
【図８】
0006571081.tif 000009
【図９】
0006571081.tif 000010
【図１０】
0006571081.tif 000011